【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
複数の管理モバイル装置のうちの管理モバイル装置の選択を、マネージャモバイル装置で受信し、
前記管理モバイル装置によって実行可能なアプリケーションのリスト、及び／又は前記管理モバイル装置によってアクセス可能なウェブサイトのリストを識別するアイコンを前記マネージャモバイル装置にて表示し、
前記アプリケーションのリストからのアプリケーションの選択を示すデータ又は前記ウェブサイトのリストからのウェブサイトの選択を示すデータを前記マネージャモバイル装置で受信し、
モバイル装置管理（ＭＤＭ）サーバに前記管理モバイル装置への第２メッセージの伝送を開始させるために、前記ＭＤＭサーバに前記マネージャモバイル装置から第１メッセージを送信し、前記ＭＤＭサーバは前記マネージャモバイル装置及び前記管理モバイル装置とは異なり、前記第２メッセージは、前記アプリケーションへの集中の制限及び／又は前記ウェブサイトへの集中の制限を前記管理モバイル装置にさせるためのコマンドと、前記ＭＤＭサーバに関連付けられたアクセスポイント（ＡＰ）への前記管理モバイル装置の近さに基づいて、前記管理モバイル装置に関連付けられたソフトウェアを構成する構成情報と、前記ＡＰでの管理モバイルを認証する証明書とを含む、
方法。
【請求項２】
前記第２メッセージは、暗号化されたインターネットプロトコル（ＩＰ）接続を介して前記管理モバイル装置に送られ、及び／又は前記第２メッセージは、プッシュ通知サービスによって前記管理モバイル装置に送られ、前記コマンドは、前記管理モバイル装置に、前記ウェブサイトへブラウザアプリケーションを介してナビゲートさせることにより、前記管理モバイル装置に前記ウェブサイトへの集中を制限させ、前記第２メッセージは、メモリアドレスを識別するデータを含む、請求項１の方法。
【請求項３】
前記コマンドは、前記管理モバイル装置に、
前記アプリケーションを活性化させ、
前記アプリケーションを不活性化する前記管理モバイル装置でのユーザ入力を無視させ、
他のアプリケーションを活性化する前記管理モバイル装置でのユーザ入力を無視させることを含む、請求項１の方法。
【請求項４】
前記コマンドは、前記管理モバイル装置に、
前記ウェブサイトへナビゲートさせ、
前記ブラウザアプリケーションの不活性化する前記管理モバイル装置でのユーザ入力を無視させ、
前記ウェブサイトから離れてナビゲートする前記管理モバイル装置でのユーザ入力を無視させる、請求項２の方法。
【請求項５】
前記マネージャモバイル装置は、教師装置を含み、前記複数の管理モバイル装置の各々は、生徒装置を含む、請求項１の方法。
【請求項６】
前記マネージャモバイル装置で、前記複数の管理モバイル装置のうちの第２の管理モバイル装置の選択を受信することをさらに含む、請求項１の方法。
【請求項７】
前記マネージャモバイル装置で、第２の管理モバイル装置に対応する第２のアイコンを表示することをさらに具備し、
前記第２のアイコンは、前記第２の管理モバイル装置によって実行可能な第２のアプリケーションの第２のリスト及び／又は前記第２の管理モバイル装置によってアクセス可能な第２のウェブサイトの第２のリストに関連付けられている、請求項１の方法。
【請求項８】
クリアパスコードオプションの選択を、前記マネージャモバイル装置にて受信し、
前記管理モバイル装置にて、パスコードをクリアするために前記管理モバイル装置へ第２データの伝送を前記マネージャモバイル装置から開始することをさらに具備する、請求項１の方法。
【請求項９】
クリア集中オプションの選択を前記マネージャモバイル装置にて受信し、
前記管理モバイル装置への第２データの伝送を前記マネージャモバイル装置から開始することをさらに具備し、前記第２データは、前記管理モバイル装置に前記選択されたアプリケーション又は前記選択されたウェブサイトへの集中の制限の停止をさらに指示する、
請求項１の方法。
【請求項１０】
前記管理モバイル装置への第２データの伝送を、期間の終わりに基づいて、自動的に開始することをさらに含み、前記第２データは前記管理モバイル装置に前記選択されたウェブサイトへの集中の制限の停止を指示する、
請求項１の方法。
【請求項１１】
スクリーンミラーリングオプション及び特定の管理モバイル装置の選択を前記マネージャモバイル装置にて受信し、
前記マネージャモバイル装置から特定のメッセージを特定の管理モバイル装置に送信し、前記特定のメッセージは、複数の管理モバイル装置の外部及び前記マネージャモバイル装置の外部の表示装置へのスクリーンミラーリングセッションの開始を前記特定の管理モバイル装置へ指示することをさらに具備する、請求項１の方法。
【請求項１２】
ファイルの選択を前記マネージャモバイル装置で受信し、
前記管理モバイル装置にファイルを提供し、前記管理モバイル装置にファイルを提供することは、前記ファイルを前記管理モバイル装置に送信すること、又は外部ソースから前記ファイルをダウロードするように前記管理モバイル装置に指示することを含む、請求項１の方法。
【請求項１３】
前記ファイルは、電子学習（ｅラーニング）レッスン、画像、文書、オーディオコンテンツ、ビデオコンテンツ、電子書籍（ｅブック）、又は、これらの組み合わせの少なくとも一部分に対応する、請求項１２の方法。
【請求項１４】
前記管理モバイル装置のバッテリ寿命状態を前記マネージャモバイル装置にて表示することをさらに含む、請求項１の方法。
【請求項１５】
前記管理モバイル装置は、タブレットコンピュータ、ラップトップコンピュータ、移動電話、携帯メディアプレイヤー、ブックリーダ、又はこれらの組み合わせを含む請求項１の方法。
【請求項１６】
前記マネージャモバイル装置で、前記マネージャモバイル装置に関連付られたデータを受信し、
前記データに基づく無線ビーコンとして、前記マネージャモバイル装置を構成することをさらに含む、請求項１の方法。
【請求項１７】
前記データは、ユニバーサル単一識別子（ＵＵＩＤ）、メジャー値、マイナー値又はこれらの組み合わせを含む、請求項１６記載の方法。
【請求項１８】
前記マネージャモバイル装置から無線ビーコン信号を伝送することをさらに含み、前記無線ビーコン信号は第１識別子を含む、請求項１６の方法。
【請求項１９】
前記無線ビーコン信号は、前記マネージャモバイル装置が第１エリアにいるのに対し、第１期間の間、前記マネージャモバイル装置によって伝送され、さらに、前記マネージャモバイル装置が第２エリアにいるのに対し、第２期間の間、第２識別子を含む第２無線ビーコン信号を伝送することを含み、
前記第１識別子は、前記第１期間及び前記第１エリアの少なくとも１つに基づいて決定され、前記第２識別子は、前記第２期間及び前記第２エリアの少なくとも１つに基づいて決定される、請求項１８の方法。
【請求項２０】
前記第１エリアは第１部屋に対応し、前記第２エリアは第２部屋に対応する、請求項１９の方法。
【請求項２１】
前記マネージャモバイル装置は、特定のエリアに位置し、前記特定のエリアにさらに位置する管理モバイル装置のリストを受信することをさらに具備する、請求項１８の方法。
【請求項２２】
前記特定のエリアに位置しない１つ以上の装置を決定し、
集中制限から前記特定のエリアに位置されていない１つ以上の装置を除外する
ことをさらに具備する、請求項２１の方法。
【請求項２３】
特定のイベントに応答して、マクロとして自動的に実行されるコマンドのシーケンスを定義するユーザ入力を前記マネージャモバイル装置にて受信することをさらに含む、請求項１記載の方法。
【請求項２４】
プロセッサによって実行された場合に、前記プロセッサに動作を実行させる命令を格納するコンピュータ可読記憶装置であって、前記動作は、
管理モバイル装置に、特定のウェブサイトへブラウザアプリケーションを介してナビゲートさせるために、管理モバイル装置における実行のためにマネージャモバイル装置にて選択されたコマンド及び複数の管理モバイル装置のうちの管理モバイル装置を識別するデータを前記マネージャモバイル装置からモバイル装置管理（ＭＤＭ）サーバにて受信し、前記ＭＤＭサーバは前記マネージャモバイル装置及び前記管理モバイル装置とは異なり、
前記管理モバイル装置での前記コマンドの検索をリクエストのために前記管理モバイル装置へ前記ＭＤＭサーバからプッシュ通知を送信し、
前記管理モバイル装置から前記ＭＤＭサーバで、前記プッシュ通知に応答する承認メッセージを受信し、前記承認メッセージは、前記管理モバイル装置が前記コマンドを検索したことを示し、
前記ＭＤＭサーバにて、前記管理モバイル装置からのメッセージを受信し、前記メッセージは前記承認メッセージとは異なり、前記管理モバイル装置が前記管理モバイル装置の位置に関連付けられた無線ビーコンを検出したことを示し、
前記メッセージを受信したことに応答して、前記ＭＤＭサーバから第２のメッセージを前記管理モバイル装置へ送信することを含み、前記第２のメッセージは前記管理モバイル装置の位置に基づき前記管理モバイル装置を管理するためのルールに関連付けられた第２データを含み、前記第２データは前記ＭＤＭサーバのメモリにおける領域ルールデータベースに格納されている、
を具備するコンピュータ可読記憶装置。
【請求項２５】
前記コマンドは、
特定のアプリケーションへの前記管理モバイル装置での集中を制限し、
前記特定のウェブサイトへの前記管理モバイル装置での集中を制限し、
前記管理モバイル装置でのパスコードをクリアし、
前記管理モバイル装置での集中の制限を停止し、
外部表示装置への前記管理モバイル装置からのスクリーンミラーリングセッションを開始し、
前記管理モバイル装置にて文書を得る特定のコマンドを含む、
請求項２４のコンピュータ可読記憶装置。
【請求項２６】
前記第２データは、前記管理モバイル装置が前記ＭＤＭサーバに関連付けられた無線アクセスポイントにアクセスすることを可能にする第１情報を含み、前記第２データは、前記管理モバイル装置が前記ＭＤＭサーバに関連付けられた無線プリンタにアクセスすることを可能にする第２情報を含み、
前記動作は、前記管理モバイル装置にて実行可能なアプリケーションのリスト、前記管理モバイル装置によってアクセス可能なウェブサイトのリスト、又はこれらの組み合わせを前記マネージャモバイル装置に送信することをさらに有する、請求項２４のコンピュータ可読記憶装置。
【請求項２７】
前記動作は、前記管理モバイル装置の少なくとも副組をグループに分類するグルーピングデータを格納することをさらに含み、前記動作は、前記管理モバイル装置の位置に基づいて、前記第２データを前記ＭＤＭサーバの前記メモリから検索することをさらに含む、請求項２４のコンピュータ可読記憶装置。
【請求項２８】
プロセッサと、
前記プロセッサによって実行された場合に、前記プロセッサに動作を実行させる命令を格納するメモリとを具備し、前記動作は、
複数の管理モバイル装置のうちの管理モバイル装置の選択を、マネージャモバイル装置で受信し、
管理モバイル装置によって実行可能なアプリケーションのリスト、及び／又は前記管理モバイル装置によってアクセス可能なウェブサイトのリストを識別するアイコンをマネージャモバイル装置にて表示し、
前記アプリケーションのリストからのアプリケーションの選択又は前記ウェブサイトのリストからのウェブサイトの選択を前記マネージャモバイル装置で受信し、
モバイル装置管理（ＭＤＭ）サーバに第２メッセージを前記管理モバイル装置に送らせるために、前記ＭＤＭサーバへ前記マネージャモバイル装置から第１メッセージを送信し、前記ＭＤＭサーバは前記マネージャモバイル装置及び前記管理モバイル装置とは異なり、前記第２メッセージは、前記アプリケーションへの集中の制限及び／又は前記ウェブサイトへの集中の制限を前記管理モバイル装置にさせるためのコマンドと、前記ＭＤＭサーバに関連付けられたアクセスポイント（ＡＰ）への前記管理モバイル装置の近さに基づいて、前記管理モバイル装置に関連付けられたソフトウェアを構成する構成情報と、前記ＡＰでの管理モバイルを認証する証明書とを含む、
装置。
【請求項２９】
前記プロセッサに接続されたタッチスクリーンディスプレイをさらに有し、前記タッチスクリーンディスプレイは、前記管理モバイル装置の選択を受信するように構成され、前記アプリケーションの選択又は前記ウェブサイトの選択を受信するようにさらに構成される、請求項２８記載の装置。
【請求項３０】
前記プロセッサに接続された無線ネットワークインターフェイスをさらに具備し、前記無線ネットワークインターフェイスは前記第１メッセージを送信するように構成される、請求項２９記載の装置。
【請求項３１】
管理装置と無線ビーコンとの間の第１無線接続を介して無線ビーコンから信号を管理装置にて検出し、前記信号は、前記管理装置が特定の機能性へのアクセスの権限を有しない間、検出され、
前記信号を検出することに応答して、前記無線ビーコンを関連付けられたビーコン識別子を含む第１メッセージを生成し、
第２無線接続を介して装置管理サーバへ前記管理装置から前記第１メッセージを送信し、
前記第１メッセージにおける前記ビーコン識別子に応答して、前記第２無線接続を介して、前記管理装置にて、前記管理装置が前記無線ビーコンの伝送レンジ内にある間、前記管理装置に前記特定の機能性にアクセスするのを認める第２メッセージを受信し、
前記無線ビーコンの前記伝送レンジからの前記管理装置の退出に応答して、前記第２無線接続を介して前記管理装置で、前記装置管理サーバから第３メッセージを受信し、前記第３メッセージは前記管理装置から前記特定の機能性にアクセスする権限を無効にする、
方法。
【請求項３２】
前記無線ビーコンの前記伝送レンジからの前記管理装置の退出を前記管理装置にて検出し、
前記退出を検出することに応答して、前記管理装置から前記装置管理サーバへ第４メッセージを伝送し、前記第４メッセージは前記退出を示し、
前記第４メッセージに応答して、前記装置管理サーバから前記管理装置にて、前記第３メッセージを受信する、
ことをさらに具備する請求項３１の方法。
【請求項３３】
前記伝送レンジからの前記退出は、
検出された前記信号の不在と、
閾値よりも小さい前記信号の信号強度と、
前記信号の前記信号強度よりも大きい第２無線ビーコンと関連する第２信号の第２信号強度又はこれらの組み合わせと
に基づく、
請求項３１の方法。
【請求項３４】
前記第１無線接続は、パーソナルエリアネットワーク接続を含む、請求項３１の方法。
【請求項３５】
前記第２無線接続はＩＥＥＥ  ８０２．１１接続、第４世代（４Ｇ）接続、又は第３世代（３Ｇ）接続を含む、請求項３１の方法。
【請求項３６】
前記特定の機能性は、前記無線ビーコンの機能性と関係のないアプリケーション機能性であり、前記特定の機能性は前記管理装置が前記無線ビーコンからの信号を検出している間、アクセス可能である、
請求項３１の方法。
【請求項３７】
前記信号は、地理学的な領域の組に関連付けられた領域識別子と、前記地理学的な領域の組の特定の地理学的な領域に関連付けられた副領域識別子とを有する、
、請求項３１の方法。
【請求項３８】
前記特定の機能性にアクセスする権限を認めることは、前記管理装置の特定のプリンタへのアクセスを構成することを含む、請求項３１の方法。
【請求項３９】
前記特定の機能性にアクセスする権限を認めることは、前記管理装置のオペレーティングシステムによって、アプリケーションのインストールのトリガをすることを含み、前記アプリケーションは前記特定の機能性を実行することを実施可能である、請求項３１の方法。
【請求項４０】
前記第２メッセージは、前記管理装置のオペレーティングシステムによって実行される少なくとも１つのコマンドをさらに含む、請求項３１の方法。
【請求項４１】
前記信号は、前記無線ビーコンと関連付けられた前記ビーコン識別子を運び、前記第１メッセージは前記ビーコン識別子及びユーザ識別子を含む、請求項３１の方法。
【請求項４２】
装置管理サーバでアクセスポイントを介して管理装置から第１メッセージを受信し、前記第１メッセージは、第１無線ビーコンに関連付けられた第１識別子を含み、前記第１無線ビーコンは第１無線ネットワーク接続に関連付けられ、前記第１メッセージは前記管理装置が前記第１無線ビーコンのレンジ内にあることを示し、
前記第１メッセージに応答して、管理装置権に特定の機能性へのアクセスの権限を認め、前記管理装置へ第２無線接続を介して第２メッセージの伝送を開始し、
前記第１無線ビーコンのレンジからの前記管理装置の退出に応答して、前記管理装置から前記特定の機能性にアクセスする権限を無効にするために、前記管理装置へ、前記第２無線接続を介して、第３メッセージの伝送を開始する、
方法。
【請求項４３】
前記第２メッセージの伝送を開始することは、前記管理装置に前記装置管理サーバにチェックインさせるために、前記管理装置に命令を送るためのプッシュ通知サービスをリクエストすることを含む、請求項４２の方法。
【請求項４４】
前記第１識別子は、複数の無線ビーコンの各々の伝送レンジに関連付けられた無線ビーコン領域に関連付けられている、請求項４２の方法。
【請求項４５】
装置管理サーバが、前記無線ビーコン領域における管理装置へ認められる前記特定の機能性へアクセスする権限を示すルールと、前記無線ビーコン領域との間の関連を格納する、請求項４４の方法。
【請求項４６】
前記第１識別子は、前記無線ビーコン領域の１つ以上の副領域を識別する１つ以上の副識別子を含み、前記副識別子の各々は、前記複数の無線ビーコンの特定のビーコンに対応する、
請求項４４の方法。
【請求項４７】
装置管理サーバが、前記特定の副領域における管理装置へ前記特定の機能性へアクセスする権限が認められることを示すルールと、特定の副領域との間の関連を格納する、請求項４６の方法。
【請求項４８】
前記特定の機能性へのアクセスへの権限を認めることは、前記管理装置に仮想プライベートネットワーク（ＶＰＮ）へのアクセスする権限を認めることを含む、請求項４２の方法。
【請求項４９】
プロセッサによって実行された場合に、前記プロセッサに動作を実行させる命令を格納するコンピュータ可読記憶装置であって、前記動作は、
計算装置が無線ビーコンの伝送レンジ内にある間、特定のユーザ識別子に関連する各計算装置に特定の機能性へのアクセスの権限が認められることを示す入力をデバイス管理サーバにて受信し、前記無線ビーコンは第１無線接続に関連し、
管理計算装置から第１メッセージを受信し、前記第１メッセージは無線ビーコンに関連付けられたビーコン識別子と、ユーザＩＤとを有し、前記第１メッセージは、前記管理計算装置が前記無線ビーコンの伝送レンジ内にあることを示し、
前記第１メッセージに応答して、前記管理計算装置へ第２無線接続を介して、第２メッセージの伝送を開始し、前記第２メッセージは、前記管理計算装置が、前記無線ビーコンの伝送レンジ内にある期間の間、前記特定の機能性へアクセスする権限を前記管理計算装置に認め、
前記無線ビーコンの伝送レンジからの前記管理計算装置の退出に応答して、前記管理計算装置から前記特定の機能性にアクセスする権限を無効にするために、前記管理計算装置へ、前記第２無線接続を介して、第３メッセージの伝送を開始する、
コンピュータ可読記憶装置。
【手続補正２】
【補正対象書類名】明細書
【補正対象項目名】０１１９
【補正方法】変更
【補正の内容】
【０１１９】
[00141] 上記開示された主題は、実例であり、限定的でないと考えられるべきであり、添付された請求項は、そのような変更、拡張及び他の実施形態をすべてカバーするように意図され、本開示の観点内にある。したがって、法律によって許可された最大程度まで、本開示の観点は、次の請求項及びそれらの均等の最も広い許容可能な解釈によって決定されるべきであり、先の詳細な記述によって限定又は制限されない。
以下の記載は、出願当初の特許請求の範囲に記載された事項を付記するものである。
［１］
複数の管理モバイル装置のうちの管理モバイル装置の選択を、マネージャモバイル装置で受信し、
前記管理モバイル装置によって実行可能なアプリケーションのリスト、及び／又は前記管理モバイル装置によってアクセス可能なウェブサイトのリストを前記マネージャモバイル装置にて表示し、
前記アプリケーションのリストからのアプリケーションの選択又は前記ウェブサイトのリストからのウェブサイトの選択を前記マネージャモバイル装置で受信し、
前記マネージャモバイル装置にて、前記選択されたアプリケーション又は前記選択されたウェブサイトへの集中を制限するために前記管理モバイル装置へ指示し、前記管理モバイル装置へのデータの伝送を開始する、
方法。
［２］
前記管理モバイル装置への前記データの伝送を開始することは、
モバイル装置管理（ＭＤＭ）サーバに暗号化されたインターネットプロトコル（ＩＰ）を介して前記管理モバイル装置へプッシュ通知を送らせるために、前記マネージャモバイル装置からメッセージを前記ＭＤＭサーバへ送ることを含む、［１］の方法。
［３］
前記選択されたアプリケーションへの集中を制限するために前記管理モバイル装置へ指示することは、前記管理モバイル装置に、
前記選択されたアプリケーションを活性化し、
前記選択されたアプリケーションを不活性化する前記管理モバイル装置でユーザ入力を無視し、
他のアプリケーションを活性化する前記管理モバイル装置でユーザ入力を無視することを指示することを含む、［１］の方法。
［４］
前記選択されたウェブサイトへの集中を制限するために前記管理モバイル装置へ指示することは、前記管理モバイル装置に、
ブラウザアプリケーションを介して前記選択されたウェブサイトへナビゲートし、
前記ブラウザアプリケーションの不活性化又は前記選択されたウェブサイトから離れてナビゲートする前記管理モバイル装置でのユーザ入力を無視することを指示することを含む、［１］の方法。
［５］
前記マネージャモバイル装置は、教師装置を含み、前記複数の管理モバイル装置の各々は、生徒装置を含む、［１］の方法。
［６］
複数の管理モバイル装置の選択を受信し、前記複数の管理モバイル装置の各々へのデータの伝送を開始することをさらに含む、［１］の方法。
［７］
前記管理モバイル装置に対応するアイコンを前記マネージャモバイル装置にて表示することをさらに具備し、前記アイコンは、前記管理モバイル装置が制限された前記選択されたアプリケーション又は前記選択されたウェブサイトを示す、［１］の方法。
［８］
クリアパスコードオプションの選択を、前記マネージャモバイル装置にて受信し、
前記管理モバイル装置にて、パスコードをクリアするために前記管理モバイル装置へ第２データの伝送を前記マネージャモバイル装置から開始することをさらに具備する、［１］の方法。
［９］
クリア集中オプションの選択を前記マネージャモバイル装置にて受信し、
前記管理モバイル装置への第２データの伝送を前記マネージャモバイル装置から開始することをさらに具備し、前記第２データは、前記管理モバイル装置に前記選択されたアプリケーション又は前記選択されたウェブサイトへの集中の制限の停止をさらに指示する、
［１］の方法。
［１０］
前記管理モバイル装置への第２データの伝送を、期間の終わりに基づいて、前記マネージャモバイル装置から自動的に開始することをさらに含み、前記第２データは前記管理モバイル装置に前記選択されたアプリケーション又は前記選択されたウェブサイトへの集中の制限の停止を指示する、
［１］の方法。
［１１］
スクリーンミラーリングオプション及び特定の管理モバイル装置の選択を前記マネージャモバイル装置にて受信し、
前記管理モバイル装置及び前記マネージャモバイル装置の外部の表示装置へのスクリーンミラーリングセッションの開始を前記特定の管理モバイル装置へ指示することをさらに具備する、［１］の方法。
［１２］
ファイルの選択を前記マネージャモバイル装置で受信し、
前記管理モバイル装置にファイルを提供し、前記管理モバイル装置にファイルを提供することは、前記ファイルを前記管理モバイル装置に送信すること、又は外部ソースから前記ファイルをダウロードするように前記管理モバイル装置に指示することを含む、［１］の方法。
［１３］
前記ファイルは、電子学習（ｅラーニング）レッスン、画像、文書、オーディオコンテンツ、ビデオコンテンツ、電子書籍（ｅブック）、又は、これらの組み合わせの少なくとも一部分に対応する、［１２］の方法。
［１４］
前記管理モバイル装置のバッテリ寿命状態を前記マネージャモバイル装置にて表示することをさらに含む、［１］の方法。
［１５］
前記管理モバイル装置は、タブレットコンピュータ、ラップトップコンピュータ、移動電話、携帯メディアプレイヤー、ブックリーダ、又はこれらの組み合わせを含む［１］の方法。
［１６］
無線ビーコンとして前記マネージャモバイル装置を構成するために使用可能なデータを前記マネージャモバイル装置で受信することをさらに含む、［１］の方法。
［１７］
前記データは、ユニバーサル単一識別子（ＵＵＩＤ）、メジャー値、マイナー値又はこれらの組み合わせを含む、［１６］の方法。
［１８］
前記マネージャモバイル装置から無線ビーコン信号を伝送することをさらに含み、前記無線ビーコン信号は前記データに基づく識別子を含む、［１６］の方法。
［１９］
前記無線ビーコン信号は、前記マネージャモバイル装置が第１エリアにいるのに対し、第１期間の間、前記マネージャモバイル装置によって伝送され、さらに、前記マネージャモバイル装置が第２エリアにいるのに対し、第２期間の間、第２識別子を含む第２無線ビーコン信号を伝送することを含む、［１８］の方法。
［２０］
前記第１エリアは第１部屋に対応し、前記第２エリアは第２部屋に対応する、［１９］の方法。
［２１］
前記マネージャモバイル装置は、特定のエリアに位置し、前記特定のエリアにさらに位置する管理モバイル装置のリストを受信することをさらに具備する、［１８］の方法。
［２２］
前記マネージャモバイル装置、サーバ又はこれらの組み合わせは、集中制限から前記特定のエリアに位置されていない管理モバイル装置を除外するように構成されている、［２１］の方法。
［２３］
特定のイベントに応答して、マクロとして自動的に実行されるコマンドのシーケンスを定義するユーザ入力を前記マネージャモバイル装置にて受信することをさらに含む、［１］の方法。
［２４］
管理モバイル装置が、特定の期間の間、特定の無線ビーコン信号をスキャンするためのものであることを指示するデータを管理モバイル装置で受信し、
前記特定の期間がスタートしたことの検出に応答して、前記特定の無線ビーコン信号のための１つ以上の無線周波数をスキャンし、
マネージャモバイル装置からの前記特定の無線ビーコン信号を受信することに応答して、
前記管理モバイル装置が前記特定の無線ビーコン信号を受信したことのメッセージを前記管理モバイル装置から送信し、
前記管理モバイル装置に少なくとも１つの動作を実行することを指示するコマンドを前記メッセージの少なくとも一部に基づいて受信する、
方法。
［２５］
前記管理モバイル装置が前記特定の期間内に前記無線ビーコン信号を検出できない場合に、前記管理モバイル装置は前記コマンドを受信することから除外される、［２４］の方法。
［２６］
プロセッサによって実行された場合に、前記プロセッサに動作を実行させる命令を格納するコンピュータ可読記憶装置であって、
管理モバイル装置にて実行のためにマネージャモバイル装置にて選択されたコマンド及び複数の管理モバイル装置のうちの管理モバイル装置を識別するデータを前記マネージャモバイル装置からモバイル装置管理（ＭＤＭ）サーバにて受信する命令と、
前記管理モバイル装置に前記コマンドを検索させるために前記管理モバイル装置へプッシュ通知の伝送を開始する命令と
を具備するコンピュータ可読記憶装置。
［２７］
前記コマンドは、
特定のアプリケーションへの前記管理モバイル装置での集中を制限し、
特定のウェブサイトへの前記管理モバイル装置での集中を制限し、
前記管理モバイル装置でのパスコードをクリアし、
前記管理モバイル装置での集中の制限を停止し、
外部表示装置への前記管理モバイル装置からのスクリーンミラーリングセッションを開始し、
前記管理モバイル装置にて文書を得る
［２６］のコンピュータ可読記憶装置。
［２８］
前記動作は、前記管理モバイル装置にて実行可能なアプリケーションのリスト、前記管理モバイル装置によってアクセス可能なウェブサイトのリスト、又はこれらの組み合わせを前記マネージャモバイル装置に送信することをさらに有する、［２６］のコンピュータ可読記憶装置。
［２９］
前記動作は、前記管理モバイル装置の少なくとも副組をグループに分類するグルーピングデータを格納することをさらに含む、［２６］のコンピュータ可読記憶装置。
［３０］
プロセッサと、
前記プロセッサによって実行された場合に、前記プロセッサに動作を実行させる命令を格納するメモリとを具備し、前記動作は、
複数の管理モバイル装置のうちの管理モバイル装置の選択を、マネージャモバイル装置で受信し、
管理モバイル装置によって実行可能なアプリケーションのリスト、及び／又は前記管理モバイル装置によってアクセス可能なウェブサイトのリストをマネージャモバイル装置にて表示し、
前記アプリケーションのリストからのアプリケーションの選択又は前記ウェブサイトのリストからのウェブサイトの選択を前記マネージャモバイル装置で受信し、
前記マネージャモバイル装置から、前記選択されたアプリケーション又は前記選択されたウェブサイトへの集中を制限するために前記管理モバイル装置へ指示する前記管理モバイル装置へデータの伝送を開始する
ことを含む、装置。
［３１］
第１無線接続を介して無線ビーコン装置から信号を管理計算装置にて検出し、前記信号は、特定の機能性が前記管理計算装置にてアクセス不能の間、検出され、
前記信号を検出することに応答して、第２無線接続を介して装置管理サーバへ前記管理計算装置から第１メッセージを伝送し、前記第１メッセージは前記無線ビーコン装置を識別し、
前記第１メッセージにおける前記無線ビーコン装置の識別に応答して、前記管理計算装置が前記無線ビーコン装置の伝送レンジ内にある間、前記管理計算装置が前記特定の機能性にアクセスするのを認める第２メッセージを前記管理計算装置にて受信する、
方法。
［３２］
前記無線ビーコン装置の前記伝送レンジから前記管理計算装置の退出を前記管理計算装置にて検出し、
前記退出を検出することに応答して、前記管理計算装置から前記装置管理サーバへ第３メッセージを伝送し、前記第３メッセージは前記退出を示し、
前記特定の機能性への前記管理計算装置によるアクセスを無効にする第４メッセージを、前記装置管理サーバから前記管理計算装置にて、前記第３メッセージに応答して、受信する、
ことをさらに具備する［３１］の方法。
［３３］
前記伝送レンジからの前記退出は、
検出された前記信号の不在と、
閾値よりも小さい前記信号の信号強度と、
前記信号の前記信号強度よりも大きい第２無線ビーコンと関連する第２信号の第２信号強度又はこれらの組み合わせと
に基づく、
［３２］の方法。
［３４］
前記第１無線接続は、パーソナルエリアネットワーク接続を含む、［３１］の方法。
［３５］
前記第２無線接続はＩＥＥＥ  ８０２．１１接続、第４世代（４Ｇ）接続、又は第３世代（３Ｇ）接続を含む、［３１］の方法。
［３６］
前記特定の機能性にアクセスするのを認めることは、無線アクセスポイントのアクセス信用状を提供することを含む、［３１］の方法。
［３７］
前記第２メッセージは、前記無線アクセスポイントを介した通信を可能にする証明書を含む、［３６］の方法。
［３８］
前記特定の機能性にアクセスするのを認めることは、前記管理計算装置の特定のプリンタへのアクセスを構成することを含む、［３１］の方法。
［３９］
前記特定の機能性にアクセスするのを認めることは、アプリケーションのインストールのトリガをすることを含む、［３１］の方法。
［４０］
前記第２メッセージは、前記管理計算装置のオペレーティングシステムによって実行される少なくとも１つのコマンドをさらに含む、［３１］の方法。
［４１］
前記信号は、前記無線ビーコン信号と関連付けられた識別子を運び、前記第１メッセージは前記識別子を含む、［３１］の方法。
［４２］
無線ビーコン装置のレンジ内にある管理計算装置へ特定の機能性へのアクセスが認められることを示す入力を装置管理サーバで受信し、
第１管理計算装置から前記第１管理計算装置が前記無線ビーコン装置のレンジ内にあることを示す第１メッセージを受信し、
前記第１メッセージに応答して、前記第１管理計算装置が前記特定の機能性にアクセスすることを認め、前記第１管理計算装置へ第２メッセージの伝送を開始する、方法。
［４３］
前記第２メッセージの伝送を開始することは、前記第１管理計算装置に前記装置管理サーバに前記装置管理サーバにチェックインさせるために、前記第１管理計算装置に命令を送るためのプッシュ通知サービスをリクエストすることを含む、［４２］の方法。
［４４］
前記第１メッセージは、前記無線ビーコンに関連付けられた識別子を含む、［４２］の方法。
［４５］
１つ以上の無線ビーコン装置の１つ以上の伝送レンジに関連付けられた無線ビーコン領域に関連付けられている、［４４］の方法。
［４６］
前記装置管理サーバは、前記無線ビーコン領域における管理計算装置へ認められる前記機能性へアクセスすることを示すルールと、前記無線ビーコン領域との間の関連を格納する、［４５］の方法。
［４７］
前記識別子は、前記無線ビーコン領域の１つ以上の副領域を識別する１つ以上の副識別子を含む、［４５］の方法。
［４８］
前記装置管理サーバは、前記特定の副領域における管理計算装置へ前記機能性へのアクセスが認められることを示すルールと、特定の副領域との間の関連を格納する、［４７］の方法。
［４９］
前記機能性へのアクセスを認めることは、前記管理計算装置に仮想プライベートネットワーク（ＶＰＮ）へのアクセスを認めることを含む、［４２］の方法。
［５０］
プロセッサによって実行された場合に、前記プロセッサに動作を実行させる命令を格納するコンピュータ可読記憶装置であって、前記動作は、
無線ビーコン装置のレンジ内にある特定のユーザに関連する各計算装置に特定の機能性へのアクセスが認められることを示す入力をデバイス管理サーバにて受信し、
前記無線ビーコン装置の範囲内に管理計算装置があることを示し、前記ユーザに関連付けられた管理計算装置からの第１メッセージを受信し、
前記第１メッセージに応答して、前記管理計算装置が前記特定の機能性へアクセスすることを認め、前記管理計算装置へ第２メッセージの伝送を開始する、
コンピュータ可読記憶装置。